(57)【要約】【課題】  水をかけて濡れおしぼりにするときに余分な水を取り去ることが可能なおしぼり収納用トレーを提供する。【解決手段】  トレー１は、丸棒状に巻いたおしぼりａを複数本収納し得るサイズを有し、上部を開放した箱状に形成し、その底部２には、おしぼりａを載置する方向と直交する方向に伸びる複数のっ載置部３と、これら載置部３と平行に位置する溝状の水溜部４を設けてなる。トレー１の使用に際しては、複数の丸棒状に巻いた乾いた状態のおしぼりａをその内側に二列に複数収納しておき、必要に応じて噴霧器や水差しなどで水をかけ、来店客がついたテーブルに運び、ピンセットや摘まみ具によって摘まんだ前記おしぼりａを来店客に受け取ってもらう。トレー１に収納したおしぼりａから垂れた水分は、水溜部４に溜まる。【選択図】図３
0003105116.tif 000002
【実用新案登録請求の範囲】
【請求項１】
丸棒状に巻いたおしぼりを複数本収納し得るサイズを有し、上部を開放した箱状に形成してなり、その底部には、前記おしぼりを載置する載置部と、この載置部より下方に位置する水溜部を設けたことを特徴とするおしぼり収納用トレー。
【請求項２】
丸棒状に巻いたおしぼりを所定本収納し得るサイズを有し、上部を開放した箱状の収納部の上縁部どうしを一体的に連繋することによって、複数の前記収納部を連設し、前記連繋した各上縁に切り取り部を設けてなり、前記各収納部の底部には、前記おしぼりを載置する載置部と、この載置部より下方に位置する水溜部を設けたことを特徴とするおしぼり収納用トレー。
【考案の詳細な説明】
【技術分野】
【０００１】
本考案は、丸棒状に巻いたおしぼりを複数収納し、必要に応じて水をかけて濡れおしぼりにするようになしたおしぼり収納用トレー関し、特に、飲食店などで入店直後の来店客に対しておしぼりを提供するときなどに使用し、衛生を考慮して店員の手がおしぼりに直接触れないようにして運搬し手渡すためのおしぼり収納用トレーに関する。
【背景技術】
【０００２】
従来においては、おしぼりを使用前に店員などが直接手を触れないようにシート状密封容器に濡らした状態で収納し、このおしぼりを収納した前記密封容器を、来店客に手渡したりあるいはあらかじめテーブルなどの上に配置しておき、来店客が前記密封容器を破ってお絞りを使用している。
【特許文献１】特開平１１−０３２９３３号公報
【０００３】
前記密封容器に収納したおしぼりは、破ったシート状密封容器がテーブルなどの上に散らばり、見た目がわるいだけでなく、来店客の在席中あるいは退店後に前記シート状密封容器を店員などが片付ける際、濡れてテーブルなどに貼り付いている場合に、特に摘まみにくいという不都合があった。また、濡れおしぼりを適宜本数容器に収納して密封するのは煩雑であるとともに、コストアップにもなるという不都合がある。
【０００４】
また、濡らした後に絞って冷蔵庫や温蔵庫に保管しておいた濡れおしぼりを籠製などの専用容器に入れて、テーブル上に置き来店客に提供するという方法もあるが、この場合は、前記専用容器を多数用意しなければならないうえ、来客のたびに冷蔵庫や温蔵庫からおしぼりを取り出して専用容器に移すという作業をしなければならず、忙しい時間帯にこの作業を行うことは店員などにとって大きな負担になるという問題があった。
【考案の開示】
【考案が解決しようとする課題】
【０００５】
本考案は、上記不都合や問題を解消することを課題とし、該課題を解決したおしぼり収納用トレーを提供することを目的とする。
【課題を解決するための手段】
【０００６】
上記目的を達成するために、請求項１に記載の本考案は、丸棒状に巻いたおしぼりを複数本収納し得るサイズを有し、上部を開放した箱状に形成してなり、その底部には、前記おしぼりを載置する載置部と、この載置部より下方に位置する水溜部を設けたものである。
【０００７】
また、請求項２に記載の本考案は、丸棒状に巻いたおしぼりを所定本収納し得るサイズを有し、上部を開放した箱状の収納部の上縁部どうしを一体的に連繋することによって、複数の前記収納部を連設し、前記連繋した各上縁に切り取り部を設けてなり、前記各収納部の底部には、前記おしぼりを載置する載置部と、この載置部より下方に位置する水溜部を設けたものである。
【考案の効果】
【０００８】
請求項１に記載の本考案によれば、丸棒状に巻いたおしぼりを複数本収納でき、置き場所をとらないとともに、その底部に水溜部を設けたので、水をかけて容易に濡れおしぼりにすることができるとともに、余分な水は垂れて水溜部に溜まるという効果を奏する。
【０００９】
請求項２に記載の本考案によれば、丸棒状に巻いたおしぼりをそれぞれ複数の各収納部に収納でき、場所をとらないとともに、各収納部の底部に水溜部を設けたので、水をかけて容易に濡れおしぼりにすることができるとともに、余分な水は水溜部に溜まるほか、提供する人数と同数の収納部を、所定の切り取り線を切断することによって分離し、前記各人に収納部に収納した状態で提供することができるという効果を奏する。
【考案を実施するための最良の形態】
【００１０】
次に、本考案の好適な第１実施形態を添付図面の図１〜図３に基づいて詳細に説明する。ここにおいて、添付図面の図１は正面図、図２は平面図、図３は縦断面図である。
【００１１】
図１〜図３に示すように、トレー１は、樹脂シートを成形してなるもので、丸棒状に巻いたおしぼりａを２０本程度収納し得るサイズの上部を開放した四角い箱状に形成し、その底部２には、前記おしぼりａを載置する方向と直交する方向に伸びる、複数の載置部３と、載置部３と平行に位置する溝状の水溜部４を形成してなる。
【００１２】
図１及び図３に示すように、トレー１の四側部５，６の各上縁には、外側に張り出したフランジ部７を形成する。
【００１３】
図３に示すように、水溜部４の深さ及び幅長は、丸棒状に巻いた濡れおしぼりが重みで下方に撓んで水溜部４に溜まった水分に接触しないように設定する。
【００１４】
以上のように構成したトレー１の使用に際しては、複数の丸棒状に巻いた乾いた状態のおしぼりａをその内側に十本ずつ（図示せず）二列に収納しておき、使用する際に噴霧器や水差し等で季節に応じて冷水や温水を含ませ、あるいは、あらかじめ水を含ませたものを、夏場であれば冷蔵庫、冬には温蔵庫などに入れて保管しておき、来店客がついたテーブルに運び、ピンセットや摘まみ具によって摘まんだ前記濡れおしぼりａを来店客に受け取ってもらう。なお、おしぼりａはその巻き加減で太さの調節が可能であり、これによって収納本数を増減することができる。
【００１５】
続いて、本考案の第２実施形態を添付図面の図４〜図６に基づいて説明する。ここにおいて、添付図面の図４は正面図、図５は平面図、図６は縦断面図である。
【００１６】
図４〜図５に示すように、トレー１１は、樹脂シートを成形してなるもので、丸棒状に巻いたおしぼりａを一本収納し得るサイズを有し、上部を開放した箱状の収納部１２を、二列三段で計六個、各収納部１２の上縁部たるフランジ部１３どうしを一体的に連繋してなる。
【００１７】
図５及び図６に示すように、連繋した各フランジ部１３には、それぞれ切り取り部たるミシン目１４を設けるとともに、前記各収納部１２の底部１５に、前記おしぼりａを載置する方向と直交方向に伸びる複数の載置部１６と、これら載置部１６と平行に位置する溝状の水溜部１７を設ける。
【００１８】
図６に示すように、水溜部１７の深さ及び幅長は、丸棒状に巻いた濡れおしぼりａが重みで下方に撓んで溜まった水に接触しないように設定する。
【００１９】
以上のように構成したトレー１１の使用に際しては、丸棒状に巻いた乾いた状態のおしぼりａを各収納部１２に一本ずつ収納しておき、使用する際に噴霧器や水差し等で前記おしぼりａに季節に応じて冷水や温水を含ませ、あるいは、あらかじめ水を含ませたものを、夏場であれば冷蔵庫に、冬には温蔵庫などに入れて保管しておき、テーブルについた客数と同数の収納部１２を、所定のミシン目１４を切断することによって分離し、テーブルに運び載置して来店客に提供する。
【００２０】
なお、本考案は、前記第１実施形態及び上記第２実施形態になんら限定されるものではなく、例えば、第１実施形態におけるトレー１の底部２に設ける水溜部４の本数は、載置部３の数で決定されるもので、７本以上あるいは５本以下であってもよいとともに、第２実施形態におけるトレー１１の各収納部１２、底部１５に設ける水溜部１７の本数も同様に、４本以上あるいは３本以下であってもよい。また、第２実施形態におけるトレー１１の収納部１２の数は複数であれば６個ではなくてもよいうえ、該収納部１２のサイズは、前記おしぼりａを一本収納するのではなく、例えば二本収納するようにしてもよいうえ、一本収納するものと二本収納するものを組み合わせておしぼり収納用トレー１１を構成してもよい。さらに、ミシン目１４の切り取り部は、折り部を兼用して、トレー１１を二つ折りできるようにしてもよい。このように二つ折りできるトレー１１は、前述と同様に乾いたおしぼりを収容し、前記折り部を兼用したミシン目１４で二つ折りにして行楽などに携行し、行楽地などでおしぼしりに水を含ませて使用すると、携行時に嵩張らず好適である。またさらに、本考案は、飲食店のほか、飛行機や列車などの乗り物、病院や介護施設などの医療施設で使用しても好適である。
【図面の簡単な説明】
【００２１】
【図１】第１実施形態における正面図。
【図２】第１実施形態における平面図。
【図３】第１実施形態における縦断面図。
【図４】第２実施形態における正面図
【図５】第２実施形態における平面図
【図６】第２実施形態における縦断面図
【符号の説明】
【００２２】
１    トレー
２    底部
３    載置部部
４    水溜部
５    側部
６    側部
１１    トレー
１２    収納部
１３    フランジ部
１４    ミシン目
１５    底部
１６    載置部
１６    底部
１７    水溜部
【図１】
0003105116.tif 000003
【図２】
0003105116.tif 000004
【図３】
0003105116.tif 000005
【図４】
0003105116.tif 000006
【図５】
0003105116.tif 000007
【図６】
0003105116.tif 000008